(57)【要約】【課題】密封性の高いジッパーテープを提供する。【解決手段】互いに咬み合う雄部材と雌部材からなり、前記雄部材は、頭部と、前記頭部の先端部にある突出部と、前記突出部と先端部との接続部分にある凹みとを有し、前記雌部材は、対向する第１及び第２の爪部材、前記第１及び第２の爪部材の間の窪み、前記窪みの上部にある一対の突起を有し、前記雄部材と雌部材が咬み合うとき、前記雌部材の第１及び第２の爪部材の内面の少なくとも一部と、前記雄部材の頭部の面の少なくとも一部が、面接触し、前記雌部材の窪みが、前記雄部材の突出部を受け、前記雌部材の突起が前記雄部材の凹みに嵌合する、ジッパーテープ。【選択図】図２
2010246793.tif 000002
【特許請求の範囲】
【請求項１】
互いに咬み合う雄部材と雌部材からなり、
前記雄部材は、頭部と、前記頭部の先端部にある突出部と、前記突出部と先端部との接続部分にある凹みとを有し、
前記雌部材は、対向する第１及び第２の爪部材、前記第１及び第２の爪部材の間の窪み、前記窪みの上部にある一対の突起を有し、
前記雄部材と雌部材が咬み合うとき、前記雌部材の第１及び第２の爪部材の内面の少なくとも一部と、前記雄部材の頭部の面の少なくとも一部が、面接触し、
前記雌部材の窪みが、前記雄部材の突出部を受け、前記雌部材の突起が前記雄部材の凹みに嵌合する、ジッパーテープ。
【請求項２】
前記雄部材の突出部の幅が、前記雌部材の一対の突起の間隔より広く、前記雌部材の第１及び第２の爪部材の先端頂点の間隔より小さい請求項１記載のジッパーテープ。
【請求項３】
前記雌部材が、前記第１及び第２の爪部材の先端から対向して突出する鉤部を有し、前記鉤部の長さが、前記頭部の後面により形成される鉤受部の長さの半分以下である請求項１又は２記載のジッパーテープ。
【請求項４】
請求項１〜３のいずれか記載のジッパーテープを取り付けた袋。
【発明の詳細な説明】
【技術分野】
【０００１】
本発明は、ジッパーテープ及びジッパーテープ付袋に関する。
【背景技術】
【０００２】
袋の開封部に雄部材と雌部材よりなる帯状の咬合具（ジッパーテープ）を設けることにより、開閉自在とした袋が主として食品分野で使用されている。さらに、布団袋や衣料袋用としても使用されている。
【０００３】
特許文献１には、図６に示すように、雄部材１０と雌部材２０を咬み合わせるジッパーにおいて、雌部材２０の爪部材２２，２４の間に挟持弁２５，２６を設けたジッパーが開示されている。咬合時において、挟持弁２５，２６は雄部材１０の頭部１２を挟持し押し上げ、雄部材１０と雌部材２０の密着状態を維持する。
しかしながら、このジッパーでは雌雄部材が面で接触していないので、密封性が不十分であった。
【０００４】
特許文献２には、図７に示すような雄部材３０と雌部材４０からなるジッパーが開示されている。このジッパーでは、雄部材３０の頭部３２が雌部材４０の爪部材４２，４４の内側側面の一部に面接触し、爪部材４２，４４が頭部３２を締め付け密封している。
このジッパーは雌雄部材が面接触しているため密封性が向上しているが、以下の様々な問題があった。
雌部材の基底部から離れた、爪部材の先端で雄部材の頭部を締め付けるため締め付け力が弱かった。雌部材の爪部材先端に荷重が掛かると、爪部材の間隔が広くなり、密封性を損なう恐れがあった。雌部材の爪部材が雄部材の軸に触れるほど長い場合、ジッパーの開口状態を長時間保持すると、嵌合している部分と、していない部分の境（雌部材の爪部材が広がった状態）に雌部材の爪部材が広がった状態の癖がつき、密封性が低下する場合があった。雄部材頭部が円弧状になっており、嵌合時に雌雄の位置を合わせて嵌合することが困難であった。製袋時のサイドシール際で、ジッパーが変形すると密封性を損ねることがあり、製袋する際、高度な製袋技術が必要であった。
【先行技術文献】
【特許文献】
【０００５】
【特許文献１】特開昭６３−９６０４０号公報
【特許文献２】特開平７−３０９３５１号公報
【発明の概要】
【発明が解決しようとする課題】
【０００６】
密封性の高いジッパーテープを提供する。
【課題を解決するための手段】
【０００７】
本発明によれば、以下のジッパーテープ及びジッパーテープ付袋が提供される。
１．互いに咬み合う雄部材と雌部材からなり、
前記雄部材は、頭部と、前記頭部の先端部にある突出部と、前記突出部と先端部との接続部分にある凹みとを有し、
前記雌部材は、対向する第１及び第２の爪部材、前記第１及び第２の爪部材の間の窪み、前記窪みの上部にある一対の突起を有し、
前記雄部材と雌部材が咬み合うとき、前記雌部材の第１及び第２の爪部材の内面の少なくとも一部と、前記雄部材の頭部の面の少なくとも一部が、面接触し、
前記雌部材の窪みが、前記雄部材の突出部を受け、前記雌部材の突起が前記雄部材の凹みに嵌合する、ジッパーテープ。
２．前記雄部材の突出部の幅が、前記雌部材の一対の突起の間隔より広く、前記雌部材の第１及び第２の爪部材の先端頂点の間隔より小さい１記載のジッパーテープ。
３．前記雌部材が、前記第１及び第２の爪部材の先端から対向して突出する鉤部を有し、前記鉤部の長さが、前記頭部の後面により形成される鉤受部の長さの半分以下である１又は２記載のジッパーテープ。
４．１〜３のいずれか記載のジッパーテープを取り付けた袋。
【発明の効果】
【０００８】
本発明よれば、密封性の高いジッパーテープを提供できる。
【図面の簡単な説明】
【０００９】
【図１】本発明の一実施形態である雄部材と雌部材からなるジッパーテープを示す図である。
【図２】図１の雄部材と雌部材が咬み合った状態を示す図である。
【図３】図１の雄部材の各部分の寸法を示す図である。
【図４】図１の雌部材の各部分の寸法を示す図である。
【図５】実施例１で作製したジッパーテープの写真である。
【図６】従来の雄部材と雌部材からなるジッパーテープを示す図である。
【図７】従来の他の雄部材と雌部材からなるジッパーテープを示す図である。
【図８】比較例１で用いた雄部材の各部分の寸法を示す図である。
【図９】比較例１で用いた雌部材の各部分の寸法を示す図である。
【図１０】比較例２で用いた雄部材の各部分の寸法を示す図である。
【図１１】比較例２で用いた雌部材の各部分の寸法を示す図である。
【発明を実施するための形態】
【００１０】
以下、本発明を図面を参照して実施形態に基づき説明するが、実施形態は例示であり、本発明は実施形態に限定されない。
図１に本発明の一実施形態であるジッパーテープを示す。このジッパーテープは、互いに咬み合う雄部材１００と雌部材２００からなる。
雄部材１００は、基部１１０、頭部１２０、及び基部１１０と頭部１２０を連結する棒状の連結部１３０からなる。頭部１２０は略半球状であり、先端部１２２と後面１２４を有する。略半球状には、半球の他、ハート形、矢じり形等が含まれる。
頭部１２０の後面１２４は、連結部１３０の断面より大きく、頭部の後面のほぼ中央で連結部が連結する。連結部１３０と連結していない頭部の後面１２４が、鉤受部１２４を形成している。
雄部材１００の先端部１２２には突出部１２６がある。先端部１２２と突出部１２６の接続部分、即ち突出部１２６の付け根には凹み１２８がある。
雌部材２００は、基部２１０と、対向する円弧状の第１及び第２の爪部材２２０，２３０、及び第１及び第２の爪部材２２０，２３０の先端から対向して突出している鉤部２２２，２３２からなる。この鉤部２２２，２３２の長さは、雄部材の鉤受部１２４より短い。第１及び第２の爪部材２２０，２３０の間には、雄部材の先端部の突出部１２６を受けるための窪み２４０がある。窪み２４０の上部、即ち爪部材２２０，２３０の付け根に、一対の突起２４２がある。
【００１１】
図２に示すように、雄部材１００を雌部材２００に挿入すると、雄部材の先端部の突出部１２６が第１及び第２の爪部材の間の窪み２４０に入り、雄部材の凹み１２８と雌部材の一対の突起２４２が嵌合する。さらに、雌部材の第１及び第２の爪部材２２０，２３０の対向する内面の少なくとも一部と、雄部材の頭部１２０の面の少なくとも一部が、面接触する。この状態により密着性が高まる。
また、雌部材の間にある窪み２４０において雄部材頭部の突出部１２６を締め付けるため締め付け力が強い。
さらに、図７に示す雄部材３０は頭部３２の先端部は平坦な円弧状になっているため位置が合わず脱線する場合があったが、本実施形態ではその先端部１２２に突出部１２６を形成し、この突出部１２６を鉤部２２２,２２３がガイドすることにより、雌雄部材１００，２００の位置合わせが容易である。
【００１２】
雄部材１００と雌部材２００の咬み合い時には、雌部材の鉤部２２２，２３２が雄部材の鉤受部１２４に接触、好ましくは面接触する。これによりさらに密封性が向上する。
【００１３】
本実施形態において、好ましくは、雄部材の突出部の幅ａは、雌部材の突起の幅Ａより広い（図３，４参照）。幅ａが幅Ａより広ければ、雌部材が雄部材を押し上げ、突起２４２と凹み１２８の接圧及び鉤部２２２，２３２と鉤受部１２４の接圧が上がる。
【００１４】
また、好ましくは、雄部材の突出部の幅ａは、雌部材の爪部材の先端頂点の間隔Ｅより小さい（図３，４参照）。幅ａが間隔Ｅより小さいと、嵌合時に雌雄の位置が合わせしやすくなり、嵌合しやすくなる。
【００１５】
また、好ましくは、雄部材の後面端から雄部材の先端までの長さｃは雌部材の窪みの上から鍵部の付け根までの長さＣより大きい（図３，４参照）。長さｃが長さＣより大きいと、頭部が爪部材の鉤部を押し上げ、鉤部と鉤受部の接圧が上がる。
ここで、ｃは、図５のように曲線になっているときはわかり難いため、突出部のＲと凹みのＲの変局点を先端とする。
【００１６】
好ましくは、雌部材の鉤部の長さＤは、雄部材の鉤受部の長さｄの半分以下である（図３，４参照）。鉤部が鉤受部より短いと、ジッパーの開口状態を長時間保持しても雌部材の爪部材が広がる癖がつかず密封性が低下しない。
【００１７】
上記の構成において、図２中の点線の丸印は面接触を示し、実線の丸印は接圧を示す。
ここで、雄部材の頭部の幅ｂを雌部材の爪部材の内面幅Ｂより大きくすると（図３，４参照）、雌部材の爪部材と雄部材の頭部の面接触の接圧が上がり好ましい。
【００１８】
本発明のジッパーテープは、雌雄一対のジッパーを複数条並べてもよい。
【００１９】
ジッパーテープの材質は従来ジッパーテープで使用されている、低密度ポリエチレン、直鎖状低密度ポリエチレン、エチレン−酢酸ビニル共重合体、ポリプロピレン等から選択すればよいが、特に高密封ジッパーでは、ポリエチレン又はエチレン共重合体等の柔らかい樹脂が望ましい。
【００２０】
上記の構成により、本実施形態のジッパーテープは、様々な使用環境においても密封性を保持する。また、このジッパーテープは、突出部１２６又は凹み１２８と突起２４２が接していれば密封性は保たれるので潰しやすい。
【００２１】
本発明の袋は、上記のジッパーテープが取り付けられている。
【実施例】
【００２２】
実施例１．
低密度ポリエチレン（密度９２６ｋｇ／ｍ３）から、図１〜４に示す咬合部を二条設けたジッパーテープを作製した。
咬合部の各部寸法は、ａ＝０．６３ｍｍ、Ａ＝０．５５ｍｍ、ｂ＝１．２４ｍｍ、Ｂ＝１．０７、ｃ＝０．４５ｍｍ、Ｃ＝０．４４ｍｍ、ｄ＝０．３６ｍｍ、Ｄ＝０．１７ｍｍ、Ｅ＝１．０７ｍｍとした。
二軸延伸ナイロンフィルム１５μｍ（出光ユニテック（株）製Ｇ−１００）と直鎖状低密度ポリエチレンフィルム５０μｍ（出光ユニテック（株）製ＬＳ−７１１Ｃ）の二層のラミネートフィルムと、上記ジッパーテープを用いて、一般的な三方製袋機にて製袋してジッパーテープ付き袋を作製した。
【００２３】
比較例１．
咬合部として、図８，９に示す咬合部を作製した他は、実施例１と同様にしてジッパーテープ付き袋を作製した。
咬合部の各部寸法をｂ＝１．２４ｍｍ、Ｂ＝１．０７、ｃ＝０．７７ｍｍ、Ｃ＝０．７８ｍｍ、ｄ＝０．３６ｍｍ、Ｄ＝０．３０ｍｍ、Ｅ＝１．０７ｍｍとした。
【００２４】
比較例２．
咬合部として、図１０，１１に示す咬合部を作製した他は、実施例１と同様にしてジッパーテープ付き袋を作製した。
咬合部の各部寸法をＡ＝０．３４、ｂ＝０．７２ｍｍ、Ｂ＝０．８７、ｃ＝０．５８ｍｍ、Ｃ＝０．５７ｍｍ、ｄ＝０．２２ｍｍ、Ｄ＝０．３３ｍｍ、Ｅ＝１．０７ｍｍとした。
【００２５】
評価例１．
以下のようにして実施例１、比較例１，２で作製したジッパーテープ付き袋を評価した。結果を表１に示す。
［評価方法］
（１）再開閉後の密封性
ジッパーを連続して１０回開閉した後、袋内にピンホールチェッカー（三菱ガス化学製）を封入し、ジッパーからの漏れの有無を確認した。
（２）開口保持後の密封性
ジッパーを袋幅の半分まで開口した状態で２４時間保持後、再嵌合し、袋内にピンホールチェッカーを封入し、ジッパーからの漏れの有無を確認した。
【００２６】
［評価基準］
○：２４時間後も漏れなし。
△：２４時間後に漏れあり。
×：１時間後に漏れあり。
【００２７】
【表１】
2010246793.tif 000003
【産業上の利用可能性】
【００２８】
本発明のジッパーテープ及びジッパーテープ付き袋は、食品、衣料、布団等を密封して包装する袋として用いられる。
【符号の説明】
【００２９】
１００，１０，３０  雄部材
１１０，２１０  基部
１２０，１２，３２  頭部
１２２  先端部
１２４  後面、鉤受部
１２６  突出部
１２８  凹み
１３０  連結部
２００，２０，４０  雌部材
２２０，２３０，２２，２４，４２，４４  爪部材
２２２，２３２  鉤部
２４０  窪み
２４２  突起
２５，２６  挟持弁
ａ  雄部材の突出部の幅
ｂ  雄部材の頭部の幅
ｃ  雄部材の後面端から雄部材の先端部までの長さ
ｄ  雄部材の鉤受部の長さ
Ａ  雌部材の窪みの上部開口の幅
Ｂ  雌部材の爪部材の内面幅
Ｃ  雌部材の窪みの上から鍵部の付け根までの長さ
Ｄ  雌部材の鉤部の長さ
Ｅ  雌部材の爪部材の先端頂点の間隔
【図１】
2010246793.tif 000004
【図２】
2010246793.tif 000005
【図３】
2010246793.tif 000006
【図４】
2010246793.tif 000007
【図６】
2010246793.tif 000008
【図７】
2010246793.tif 000009
【図８】
2010246793.tif 000010
【図９】
2010246793.tif 000011
【図１０】
2010246793.tif 000012
【図１１】
2010246793.tif 000013
【図５】
2010246793.tif 000014